(57)【要約】【課題】  従来のエレベータのランニングクリアランス装置では、クリアランス塞ぎ板を駆動するためにシリンダ等の動力が必要であることや、回転可能なクリアランス塞ぎ板の長さが一定であるため、各階の建築誤差による隙間長に対応してその隙間を塞ぐことが困難であった。【解決手段】  かごドア１１が閉じられる際に、突出物１４と連結しているアーム１５も押し下げられ、十字に組み合わされたクリアランス塞ぎ板３がアーム１５の下端部側面の扇状に広がった形状の下部から上部へと向かう方向に滑る。すると、クリアランス塞ぎ板固定ばね１８の弾性力によりクリアランス塞ぎ板３は、かご敷居２から押し出される。これにより、ランニングクリアランス塞ぎ装置を動作させるための特別な制御装置や動力を必要とせず、クリアランス塞ぎ板がその隙間を塞ぐことができる。【選択図】  図１
2005082268.tif 000002
【特許請求の範囲】
【請求項１】
少なくとも１つの開口部を有するかごと、
前記かごの開口部に設けられたかごドアと、
前記かごドアの底部に対向するかごに設けられ、前記かごドアをガイドするための溝を有
するかご敷居と、
前記かご敷居内に設けられた弾性体に支持され、一端部形状が扇状に広がっているアーム
と、
前記アームと連結し、前記かごドアの荷重を前記アームに伝達する伝達部と、
前記かご敷居内に設けられた弾性体に支持され、前記かご敷居から所定方向に移動するク
リアランス塞ぎ部と、
を具備することを特徴とするエレベータのランニングクリアランス塞ぎ装置。
【請求項２】
前記クリアランス塞ぎ部が、前記ドアの動作に連動して前記かご敷居から所定方向に移
動することを特徴とした請求項１記載のエレベータのランニングクリアランス塞ぎ装置。
【請求項３】
前記クリアランス塞ぎ部が、前記かご敷居と接する面と噛み合った凹凸構造であること
を特徴とした請求項１記載のエレベータのランニングクリアランス塞ぎ装置。
【請求項４】
前記かご敷居が、前記クリアランス塞ぎ部を挟んで固定するローラを具備することを特
徴とした請求項１記載のエレベータのランニングクリアランス塞ぎ装置。
【請求項５】
前記伝達部が、その上部にローラを具備することを特徴とした請求項１記載のエレベー
タのランニングクリアランス塞ぎ装置。
【発明の詳細な説明】
【技術分野】
【０００１】
本発明は、エレベータ停止時にエレベータのかごと乗場との隙間を塞ぐ装置に関するも
のである。
【背景技術】
【０００２】
一般的に、近年のエレベータでは、エレベータの着床戸開時に、エレベータのかご敷居
と乗場敷居との間の隙間を塞ぎ、落し物が昇降路内に落ちるのを防ぐ目的で、かご敷居と
乗場敷居との間の隙間を塞ぐための塞ぎカバーを設置したエレベータが提案されている。
【０００３】
従来この種のエレベータは、一般的に図９に示すような構造となっている(例えば、特許
文献１参照)。図９は、従来のエレベータのランニングクリアランス塞ぎ装置の側面図で
ある。
【０００４】
このエレベータにおいては、図９に示すように、乗場敷居１、かご敷居２、クリアラン
ス塞ぎ板３から構成されている。
【０００５】
乗場敷居１とかご敷居２は対向して設けられ、その間に隙間が生じている。
【０００６】
また、乗場敷居１とかご敷居２との隙間に対応した寸法のクリアランス塞ぎ板３を、か
ご敷居２の端部に蝶番等にて取付け、クリアランス塞ぎ板３を隙間の水平位置よりかご敷
居３側面の垂直位置まで回転可能に取付ける。そして、かご床下側にクリアランス塞ぎ板
３を回転作動させるシリンダ４、プランジャ５を設置する。シリンダ４端部はかご床下側
に固定され、プランジャ５先端をクリアランス塞ぎ板３に連結する。また、プランジャ５
末端には戻しばね６を設ける。
【０００７】
上記のような構成のエレベータのランニングクリアランス塞ぎ装置では、エレベータの
着床戸開時に、シリンダ４が作動してプランジャ５が押し出される。すると、プランジャ
５先端がクリアランス塞ぎ板３を押して水平方向に回転し、クリアランス塞ぎ板３で乗場
敷居１とかご敷居２との間の隙間を塞ぐ。
【特許文献１】特開平５−１７０３９０号公報(第２頁、図３)
【発明の開示】
【発明が解決しようとする課題】
【０００８】
しかしながら、上記従来のエレベータのランニングクリアランス塞ぎ装置では、クリア
ランス塞ぎ板３を駆動するためにシリンダ４等の動力が必要であった。そのため、余分に
エレベータのランニングクリアランス塞ぎ装置の開発費用を要していた。
【０００９】
また、回転可能なクリアランス塞ぎ板３の長さは一定であるため、各階の建築誤差によ
る隙間長に対応してその隙間を塞ぐことが困難であった。
【００１０】
さらに、エレベータのランニングクリアランス塞ぎ装置が複雑化・大型化に伴い、エレ
ベータのランニングクリアランス塞ぎ装置を設置するスペースの確保が必要となる。その
ため、エレベータを構成する他の機器を見直さなければならなかった。
【００１１】
本発明は、上記問題に鑑みなされたもので、特別な制御、動力源装置を必要とせずに小
型化・低コストを実現し、しかも建築誤差等による隙間長に対応してその隙間を塞ぐこと
が可能であるエレベータのランニングクリアランス塞ぎ装置の提供を目的とする。
【課題を解決するための手段】
【００１２】
上記目的を達成するために、本発明のエレベータのランニングクリアランス塞ぎ装置は
、「少なくとも１つの開口部を有するかごと、前記かごの開口部に設けられたかごドアと
、前記かごドアの底部に対向するかごに設けられ、前記かごドアをガイドするための溝を
有するかご敷居と、前記かご敷居内に設けられた弾性体に支持され、一端部形状が扇状に
広がっているアームと、前記アームと連結し、前記かごドアの荷重を前記アームに伝達す
る伝達部と、前記かご敷居内に設けられた弾性体に支持され、前記かご敷居から所定方向
に移動するクリアランス塞ぎ部とを具備すること」を特徴としている。
【発明の効果】
【００１３】
以上で述べたように、本発明のエレベータのランニングクリアランス塞ぎ装置によれば
、ランニングクリアランス塞ぎ装置を動作させるための特別な制御装置や動力を必要とし
ない。
【発明を実施するための最良の形態】
【００１４】
以下、図面を参照しながら本発明の実施例について説明する。
【実施例１】
【００１５】
以下、本発明の第１の実施例について、図１〜図６を参照して説明する。図１は、本発
明の第１の実施例に係るエレベータのランニングクリアランス塞ぎ装置の動作前の正面図
、図２は、本発明の第１の実施例に係るエレベータのランニングクリアランス塞ぎ装置の
動作前の上面図、図３は、本発明の第１の実施例に係るエレベータのランニングクリアラ
ンス塞ぎ装置の図１中のA−A’線で切り欠いた縦断面図、図４は、本発明の第１の実施
例に係るエレベータのランニングクリアランス塞ぎ装置の動作後の正面図、図５は、本発
明の第１の実施例に係るエレベータのランニングクリアランス塞ぎ装置の動作後の上面図
、図６は、本発明の第１の実施例に係るエレベータのランニングクリアランス塞ぎ装置の
図４中のB−B’線で切り欠いた縦断面図である。
【００１６】
まず、エレベータのランニングクリアランス塞ぎ装置の構成について図１〜図６を示し
て説明する。
【００１７】
図１に示すように、本発明のエレベータのランニングクリアランス塞ぎ装置は、かご敷
居２、かご敷居２内に収納可能であるクリアランス塞ぎ板３を有してなる。
【００１８】
また、図２に示すように、かご敷居２は、かごドア１１が開閉できるようにガイドして
いる溝１２を有している。溝１２は、その両端に溝穴１３が開けられ、その溝穴１３には
突出物１４(伝達部)が埋設されている。この突出物１４は、溝１２面から上に出ており
、かご敷居２内にあるアーム１５と連結している。
【００１９】
そして、突出物１４は、かごドア１１が開いて溝１２にガイドされ、突出物１４上を通
る場合に、かごドア１１の荷重により下降しやすいように、突出物１４の先端は丸くなっ
ている。
【００２０】
また、かご敷居２内にクリアランス塞ぎ板３が収納可能に設けられており、クリアラン
ス塞ぎ板３の先端部には、ゴム１６が設けられている。これは、クリアランス塞ぎ板３が
動作した場合に、乗場１７とぶつかる衝撃を和らげるためのものである。
【００２１】
また、クリアランス塞ぎ板３は、かご敷居２とクリアランス塞ぎ板固定ばね１８を介し
て固定されている。
【００２２】
そして、クリアランス塞ぎ板３は、かご敷居２内から略水平外側に出る方向に弾性力が
働いている。
【００２３】
さらに、クリアランス塞ぎ板３には、かぎ３aが設けられており、かぎ３aは補助ローラ
１９を支えている。ここで、アーム補助ローラ１９は、アーム１５と接しており、アーム
１５とクリアランス塞ぎ板３の接触を滑らかにする役割をしている。
【００２４】
ここで、図３に示すように、かご敷居２内にはアーム１５が設けられ、突出物１４と連
結している。また、アーム１５は、アーム固定ばね２０を介してかご敷居２と固定されて
いる。
【００２５】
そして、アーム１５はアーム固定ばね２０によってアーム１５が押し上げられる方向に
弾性力が働いている。
【００２６】
また、アーム１５の下端部は、扇状に広がっている。この扇状に広がった形状によって
、アーム１５の上下方向運動をクリアランス塞ぎ板３の水平方向運動へと伝達している。
【００２７】
また、クリアランス塞ぎ板固定ばね１８とアーム固定ばね２０の弾性力の関係について
は、アーム固定ばね２０の弾性力がクリアランス塞ぎ板固定ばね２０よりも大きくなるよ
うに設定されている。
【００２８】
次に、エレベータのランニングクリアランス塞ぎ装置が作動する前の状態について、図
１〜図３を参照して説明する。
【００２９】
上記構成においては、図１〜図３に示すように、エレベータが走行している場合には、
エレベータのかごドア１１は閉じられている。
【００３０】
そして、アーム１５が押し上げられる力がクリアランス塞ぎ板３を水平方向に押し出す
力より大きいため、十字に組み合わされたクリアランス塞ぎ板３がアーム１５の下端部側
面の扇状に広がった形状の上部方向へ滑ることはない。
【００３１】
そのため、アーム固定ばね２０の弾性力よりも大きな荷重がアーム１５にかからない限
り、つまりかごドア１１が開かない限り、クリアランス塞ぎ板３は、かご敷居２内に保持
されている。
【００３２】
次に、エレベータのランニングクリアランス塞ぎ装置が動作した後の状態を図４〜図６
に示して説明する。
【００３３】
上記構成においては、図４に示すように、エレベータが停止階に着床すると、電動機(
図示せず)により、かごドア１１が開閉される。かごドア１１はかご敷居２の溝１２に沿
って、戸開とともにそれぞれ両端部へ移動する。
【００３４】
すると、溝１２に設けられた溝穴１３から出ている突出物１４がかごドア１１の荷重に
より押し下げられる。
【００３５】
これにより、図５と図６に示すように、突出物１４と連結しているアーム１５も押し下
げられ、アーム固定ばね２０によってアーム１５が押し上げられる力よりもクリアランス
塞ぎ板固定ばね１８がクリアランス塞ぎ板３をかご敷居２から押し出す力が大きくなる。
【００３６】
さらに、アーム１５が下がることにより、十字に組み合わされたクリアランス塞ぎ板３
がアーム１５の下端部側面の扇状に広がった形状の下部から上部へと向かう方向に滑る。
【００３７】
以上から、クリアランス塞ぎ板３は、かご敷居２から押し出される。
【００３８】
そして、押し出されたクリアランス塞ぎ板３は、乗場１７にクリアランス塞ぎ板３のゴ
ム１６が接触するまで押し出される。
【００３９】
これにより、エレベータの着床戸開時に、エレベータのかご敷居と乗場敷居との間の隙
間を塞ぐことができる
さらに、エレベータのランニングクリアランス塞ぎ装置が動作した後の状態から動作す
る前の状態への復元過程を説明する。
【００４０】
まず、かごドア１１が閉じられると、かごドア１１はかご敷居２の溝１２に沿って、戸
開とともにそれぞれ中央部へと移動する。
【００４１】
すると、かごドア１１の荷重により溝１２に設けられた溝穴内１３に押し下げられた突
出物１４が、かごドア１１の荷重がなくなり、溝穴１３から上に押し上げられる。
【００４２】
また、かごドア１１の荷重によって押し下げられていたアーム固定ばね２０が反発力に
よって元の状態に復元しようとする。同様に、かご敷居２から押し出されていたクリアラ
ンス塞ぎ板固定ばね１８も、反発力によって元の状態に復元しようとする。
【００４３】
これにより、クリアランス塞ぎ板３は、クリアランス塞ぎ板固定ばね１８によってかご
敷居２内に引き寄せられ、アーム固定ばね１８によってかご敷居２内に保持される。
【００４４】
このような本発明の第１の実施例によれば、特別な制御装置や動力を必要とせず、かご
ドアの戸開閉動作と連動してクリアランス塞ぎ装置を動作させることができる。
【００４５】
また、エレベータのランニングクリアランス塞ぎ装置が、かご敷居内にすべて含まれて
いるため、既存のエレベータにおいても、かご敷居の交換のみで実施することができると
共に構造が単純なためにメンテナンスも容易に行なえる。
【００４６】
さらに、エレベータのランニングクリアランス塞ぎ装置が動作した場合に、乗場敷居と
かご敷居の隙間が一定でなくても、クリアランス塞ぎ板がその隙間を塞ぐことができる。
【実施例２】
【００４７】
次に、本発明の第２の実施例について、図７を参照して説明する。
【００４８】
第２の特徴は、クリアランス塞ぎ板３を凹状構造とし、かご敷居２を凸状構造としたこ
とである。
【００４９】
図７は、本発明の第２の実施例に係るエレベータのランニングクリアランス塞ぎ装置に
おけるかご敷居の正面図である。
【００５０】
なお、以下の各実施例において、上記第１の実施例と同一構成要素には同一符号を付し
て詳しい説明は省略する。
【００５１】
図７に示すように、かご敷居２におけるクリアランス塞ぎ板３と接する面が凸状構造と
なっており、クリアランス塞ぎ板３におけるかご敷居２と接する面が凹状構造となってい
る。そして、その凸状構造と凹状構造は、互いに噛み合うように構成されている。
【００５２】
このような本発明の第２の実施例によれば、クリアランス塞ぎ板３とかご敷居２が接す
る各面を凹凸構造として噛み合わせることで、クリアランス塞ぎ板３がかご敷居２から押
し出される際に、クリアランス塞ぎ板３が左右にぶれることなく押し出されるので、安定
してクリアランス塞ぎ板３を押し出すことができる。
【００５３】
また、クリアランス塞ぎ板３の表面を凹状構造としたことで、乗客が誤ってクリアラン
ス塞ぎ板３に物等を落とした際に、乗客は物を拾いやすくなる。
【００５４】
さらに、クリアランス塞ぎ板３とかご敷居２が接する各面を凹凸構造として噛み合わせ
ることで、クリアランス塞ぎ板３やかご敷居２の強度を保ちつつクリアランス塞ぎ板３を
かご敷居２の表面に近づけることができるため、乗り込み時の段差を少なくすることがで
きる。
【実施例３】
【００５５】
次に、本発明の第３の実施例について、図８を参照して説明する。
【００５６】
第３の特徴は、かご敷居２にクリアランス塞ぎ板補助ローラ３１を設け、突出物１４に
突出物補助ローラ３２を設けたことである。
【００５７】
図８は、本発明の第３の実施例に係るエレベータのランニングクリアランス塞ぎ装置の
動作後の断面図である。
【００５８】
図８に示すように、かご敷居２におけるクリアランス塞ぎ板３と接する面に、クリアラ
ンス塞ぎ板３を挟むようにクリアランス塞ぎ板補助ローラ３１が設けられている。さらに
、アーム１５の先端部に設けられた突出物１４とかごドア１１が接する部分に突出物補助
ローラ３２が設けられている。
【００５９】
このような本発明の第３の実施例によれば、クリアランス塞ぎ板３を挟むようにクリア
ランス塞ぎ板補助ローラ３１を設けることで、クリアランス塞ぎ板３がかご敷居２から押
し出される際の摩擦抵抗を少なくし、かごドア１１の荷重が少ない場合でもクリアランス
塞ぎ板３がかご敷居２から押し出されることを可能とすることができる。
【００６０】
また、クリアランス塞ぎ板３がかご敷居２との摩擦によって磨耗することを低減するこ
とができる。
【００６１】
さらに、かごドア１１と突出物１４が接する部分に突出物補助ローラ３２を設けること
で、かごドア１１と突出物１４との接触によるかごドア１１への負荷を軽減することがで
きる、かごドア１１の開閉動作を滑らかに行なうことができる。
【００６２】
なお、本発明は、上記した各実施例には限定されず、種々変形して実施できることは言
うまでもない。例えば、本発明では、中央両開きタイプのかごドアを用いたが、中央上下
開きタイプのかごドアや片方片開きタイプのかごドアでもよい。
【００６３】
また、例えば、本発明では、突出物、アーム等をかご敷居の両端に設けたが、どちらか
一方のみでもよいし、中央に設けてもよい。
【図面の簡単な説明】
【００６４】
【図１】本発明の第１の実施例に係るエレベータのランニングクリアランス塞ぎ装置の動作前の正面図。
【図２】本発明の第１の実施例に係るエレベータのランニングクリアランス塞ぎ装置の動作前の上面図。
【図３】本発明の第１の実施例に係るエレベータのランニングクリアランス塞ぎ装置の図１中のA−A’線で切り欠いた縦断面図。
【図４】本発明の第１の実施例に係るエレベータのランニングクリアランス塞ぎ装置の動作後の正面図。
【図５】本発明の第１の実施例に係るエレベータのランニングクリアランス塞ぎ装置の動作後の上面図。
【図６】本発明の第１の実施例に係るエレベータのランニングクリアランス塞ぎ装置の図４中のB−B’線で切り欠いた縦断面図。
【図７】本発明の第２の実施例に係るエレベータのランニングクリアランス塞ぎ装置におけるかご敷居の正面図。
【図８】本発明の第３の実施例に係るエレベータのランニングクリアランス塞ぎ装置の動作後の断面図。
【図９】従来のエレベータのランニングクリアランス塞ぎ装置の側面図。
【符号の説明】
【００６５】
１…乗場敷居
２…かご敷居
３…クリアランス塞ぎ板(クリアランス塞ぎ部)
３a…かぎ
４…シリンダ
５…プランジャ
６…戻しばね
１１…かごドア
１２…溝
１３…溝穴
１４…突出物(伝達部)
１５…アーム
１６…ゴム
１７…乗場
１８…クリアランス塞ぎ板固定ばね
１９…アーム補助ローラ
２０…アーム固定ばね
３１…クリアランス塞ぎ板補助ローラ
３２…突出物補助ローラ
【図１】
2005082268.tif 000003
【図２】
2005082268.tif 000004
【図３】
2005082268.tif 000005
【図４】
2005082268.tif 000006
【図５】
2005082268.tif 000007
【図６】
2005082268.tif 000008
【図７】
2005082268.tif 000009
【図８】
2005082268.tif 000010
【図９】
2005082268.tif 000011